(57)【要約】【課題】画像処理装置から機器の設定情報を取得することを可能にし、設定情報を取得する装置の柔軟性を向上させること。【解決手段】画像処理装置の動作に関する各設定項目の設定値を記憶する記憶手段と、設定値を複数含む設定情報の取得要求を、他の画像処理装置から受信する受信手段と、受信手段から取得要求を受けると、設定情報の作成要求を行う更新制御手段と、更新制御手段から作成要求を受けると、設定情報に含まれる設定項目の一覧を示す一覧情報に基づき、記憶手段に記憶される各設定値から設定情報を作成する設定情報制御手段と、設定情報制御手段に作成された設定情報を、他の画像処理装置に送信する送信手段と、を備える。【選択図】図３
2013143660.tif 000002
【特許請求の範囲】
【請求項１】
画像処理装置の動作に関する各設定項目の設定値を記憶する記憶手段と、
前記設定値を複数含む設定情報の取得要求を、他の画像処理装置から受信する受信手段と、
前記受信手段から前記取得要求を受けると、前記設定情報の作成要求を行う更新制御手段と、
前記更新制御手段から前記作成要求を受けると、前記設定情報に含まれる設定項目の一覧を示す一覧情報に基づき、前記記憶手段に記憶される各設定値から前記設定情報を作成する設定情報制御手段と、
前記設定情報制御手段に作成された設定情報を、前記他の画像処理装置に送信する送信手段と、
を備える画像処理装置。
【請求項２】
前記受信手段は、
前記他の画像処理装置から前記取得要求と共に機種情報を受信し、
前記更新制御手段は、
前記受信手段により受信された機種情報と、自装置の機種情報とを比較し、比較結果が一致する場合に、前記作成要求を行う請求項１記載の画像処理装置。
【請求項３】
前記更新制御手段は、
前記取得要求を行った他の画像処理装置が、予め設定された画像処理装置である場合に、前記作成要求を行う請求項１記載の画像処理装置。
【請求項４】
ネットワークを介して接続された第１画像処理装置及び第２画像処理装置を備える情報設定システムであって、
前記第１画像処理装置は、
画像処理装置を動作させるための設定情報の取得要求を前記第２画像処理装置に送信する送信手段と、
前記第２画像処理装置から前記設定情報を取得した場合、該設定情報を記憶する記憶手段と、を備え、
前記第２画像処理装置は、
画像処理装置の動作に関する各設定項目の設定値を記憶する記憶手段と、
前記第１画像処理装置から前記取得要求を受信する受信手段と、
前記受信手段から前記取得要求を受けると、前記設定情報の作成要求を行う更新制御手段と、
前記更新制御手段から前記作成要求を受けると、前記設定情報に含まれる設定項目の一覧を示す一覧情報に基づき、前記記憶手段に記憶される各設定値から前記設定情報を作成する設定情報制御手段と、
前記設定情報制御手段に作成された設定情報を、前記第１画像処理装置に送信する送信手段と、を備える情報設定システム。
【請求項５】
所定の基準に従って分割された設定情報を記憶する情報処理装置が前記ネットワークにさらに接続され、
前記第２画像処理装置の前記設定情報制御手段は、
前記情報処理装置が記憶する設定情報に含まれる設定項目以外の設定項目の一覧を示す一覧情報を保持し、
前記第１画像処理装置は、
所定の設定項目に対する設定情報の取得要求に対し、該所定の設定項目に基づいて前記情報処理装置又は前記第２画像処理装置の何れを取得先にするかを判定し、判定した取得先に前記取得要求を送信するよう制御する更新制御手段をさらに備える請求項４記載の情報設定システム。
【請求項６】
前記所定の基準がセキュリティポリシーに関するものか否かであり、前記情報処理装置がセキュリティポリシーに関する設定情報を記憶する場合、
前記第１画像処理装置の前記更新制御手段は、
前記所定の設定項目がセキュリティポリシーに関する場合、ログインユーザが前記情報処理装置へのアクセス権を有する管理者であるときに、前記情報処理装置に対して前記取得要求を送信するよう制御する請求項５記載の情報設定システム。
【請求項７】
画像処理装置を動作させるための設定情報の取得要求を、他の画像処理装置から受信する受信ステップと、
前記取得要求を受けると、前記設定情報の作成要求を行う更新制御ステップと、
前記作成要求を受けると、前記設定情報に含まれる設定項目の一覧を示す一覧情報に基づき、画像処理装置の動作に関する各設定項目の設定値を記憶する記憶手段から各設定値を取得して前記設定情報を作成する設定情報制御ステップと、
前記作成された設定情報を、前記他の画像処理装置に送信する送信ステップと、
をコンピュータに実行させるためのプログラム。
【請求項８】
請求項７記載のプログラムを記録したコンピュータ読み取り可能な記録媒体。
【発明の詳細な説明】
【技術分野】
【０００１】
本発明は、設定情報を他装置に設定する画像処理装置、情報設定システム、プログラム及び記録媒体に関する。
【背景技術】
【０００２】
近年、画像処理装置の多機能化に伴い、各機能を動作させるための設定が増加している。これにより、画像処理装置の新規導入やアプリケーションの更新の際、機器設定が煩雑になり、管理者の負担が増大していた。
【０００３】
この問題に対し、画像処理装置毎に設定操作をする必要がない技術がある。例えば、特許文献１には、サーバが画像処理装置毎に設定情報を保持し、画像処理装置が、自身の機器に対応する設定情報をサーバから取得し、取得した設定情報を登録する技術が開示されている。
【発明の概要】
【発明が解決しようとする課題】
【０００４】
しかし、従来技術では、設定情報を保持するサーバを設け、このサーバからしか設定情報を取得することができず、設定情報を取得する装置に対しての柔軟性がなかった。また、取得先を画像処理装置にしても、画像処理装置は、設定情報を１つのファイルとして持っていない場合があり、設定情報を取得することができない。
【０００５】
そこで、本発明は、上記問題点に鑑みてなされたものであり、設定情報を保持していない画像処理装置から機器の設定情報を取得することを可能にし、設定情報を取得する装置に対する柔軟性を向上させることができる画像処理装置、情報設定システム、プログラム及び記録媒体を提供することを目的とする。
【課題を解決するための手段】
【０００６】
本発明における一態様の画像処理装置は、画像処理装置の動作に関する各設定項目の設定値を記憶する記憶手段と、前記設定値を複数含む設定情報の取得要求を、他の画像処理装置から受信する受信手段と、前記受信手段から前記取得要求を受けると、前記設定情報の作成要求を行う更新制御手段と、前記更新制御手段から前記作成要求を受けると、前記設定情報に含まれる設定項目の一覧を示す一覧情報に基づき、前記記憶手段に記憶される各設定値から前記設定情報を作成する設定情報制御手段と、前記設定情報制御手段に作成された設定情報を、前記他の画像処理装置に送信する送信手段と、を備える。
【発明の効果】
【０００７】
本発明によれば、設定情報を保持していない画像処理装置から設定情報を取得することを可能にし、設定情報を取得する装置に対する柔軟性を向上させることができる。
【図面の簡単な説明】
【０００８】
【図１】実施例１における情報設定システムの一例を示す図。
【図２】画像処理装置に係るハードウェアの一例を示すブロック図。
【図３】実施例１における画像処理装置の構成の一例を示すブロック図。
【図４】プリファレンス情報の一例を示す図。
【図５】一覧情報の一例を示す図。
【図６】実施例１におけるプリファレンス情報の基本設定処理の一例を示すシーケンス図。
【図７】実施例１におけるプリファレンス情報のリトライ処理の一例を示すシーケンス図。
【図８】プリファレンス情報の取得処理（その１）の一例を示すシーケンス図。
【図９】プリファレンス情報の取得処理（その２）の一例を示すシーケンス図。
【図１０】プリファレンス情報の取得処理（その３）の一例を示すシーケンス図。
【図１１】実施例２における情報設定システムの一例を示す図。
【図１２】実施例２における情報処理装置のハードウェアの一例を示すブロック図。
【図１３】情報処理装置の構成の一例を示すブロック図。
【図１４】実施例２における分割されたプリファレンス情報（その１）の一例を示す図。
【図１５】実施例２における分割されたプリファレンス情報（その２）の一例を示す図。
【図１６】実施例２におけるプリファレンス情報の基本設定処理の一例を示すシーケンス図。
【図１７】実施例２における取得先判断を伴うプリファレンス情報の取得処理の一例を示すシーケンス図。
【図１８】実施例２におけるアクセス権の判断処理を伴うプリファレンス情報の取得処理の一例を示すシーケンス図。
【図１９】更新失敗通知画面の一例を示す図。
【図２０】実施例２におけるエラーが生じた場合に別の装置からプリファレンス情報を取得する処理の一例を示すシーケンス図。
【発明を実施するための形態】
【０００９】
以下、添付図面を参照して、本発明における実施例を詳細に説明する。
【００１０】
［実施例１］
＜システム＞
図１は、実施例１における情報設定システムの一例を示す図である。図１に示すように、情報設定システムは、ネットワークを介して画像処理装置１０、２０、３０が接続されている。各画像処理装置は、他の画像処理装置とデータ通信をすることができる。画像処理装置は、例えばＭＦＰ（Multifunction Peripheral）やプリンタなどである。
【００１１】
画像処理装置１０は、例えば、スキャン機能、コピー機能、プリンタ機能、ファクシミリ機能などを一つの筐体に搭載したものである。画像処理装置１０は、実施例１では、他の画像処理装置に対し、装置を動作させるための設定情報の取得要求を送信する。以下では、他の画像処理装置は、例えば画像処理装置３０として説明する。
【００１２】
設定情報は、プリファレンス情報ともいう。プリファレンス情報は、例えば、各アプリケーションの設定項目における設定値や装置内部の機能の設定項目における設定値などを含む１つのファイルである。画像処理装置１０は、取得したプリファレンス情報を用いて機器設定を行う。
【００１３】
＜ハードウェア＞
図２は、実施例１における画像処理装置１０のハードウェアの一例を示すブロック図である。画像処理装置１０のハードウェアとしては、コントローラ１０１と、オペレーションパネル１０２と、ファクシミリコントロールユニット（ＦＣＵ）１０３と、プロッタ１０４、スキャナ１０５及びその他ハードウェア１０６で構成されるエンジン部１０７を含む。
【００１４】
コントローラ１０１は、ＣＰＵ１１１、ＡＳＩＣ１１２、ＮＢ１２１、ＳＢ１２２、ＭＥＭ−Ｐ１３１、ＭＥＭ−Ｃ１３２、ＨＤＤ（ハードディスクドライブ）１３３、ＮＩＣ（ネットワークインタフェースコントローラ）１４１、ＵＳＢデバイス１４２、ＩＥＥＥ１３９４デバイス１４３、セントロニクスデバイス１４４を含む。
【００１５】
ＣＰＵ１１１は、種々の情報処理用のＩＣである。ＡＳＩＣ１１２は、種々の画像処理用のＩＣである。ＮＢ１２１は、コントローラ１０１のノースブリッジである。ＳＢ１２２は、コントローラ１０１のサウスブリッジである。ＭＥＭ−Ｐ１３１は、画像処理装置１０のシステムメモリである。ＭＥＭ−Ｃ１３２は、画像処理装置１０のローカルメモリである。ＨＤＤ１３３は、画像処理装置１０のストレージである。
【００１６】
ＮＩＣ１４１は、ＭＡＣアドレスによるネットワーク通信用のコントローラである。ＵＳＢデバイス１４２は、ＵＳＢ規格の接続端子を提供するためのデバイスである。ＩＥＥＥ１３９４デバイス１４３は、ＩＥＥＥ１３９４規格の接続端子を提供するためのデバイスである。セントロニクスデバイス１４４は、セントロニクス仕様の接続端子を提供するためのデバイスである。
【００１７】
オペレーションパネル１０２は、オペレータが画像処理装置１０に入力を行うためのハードウェアであると共に、オペレータが画像処理装置１０から出力を得るためのハードウェアである。
【００１８】
ＦＣＵ１０３は、受信したファックスデータを格納し、通常Ｇ３規格に従ってファックスデータの送受信を行う。ＦＣＵ１０３は、オプションとしてさらにＧ３規格とＧ４規格とを搭載してもよい。プロッタ１０４は、印刷処理を行う。スキャナ１０５は、原稿を読み取り、文書データを生成する。画像処理装置２０、３０は、画像処理装置１０と同様のハードウェアを有するため、その説明を省略する。画像処理装置２０、３０のハードウェアを用いて説明する場合は、図２に示す符号を用いて説明する。
【００１９】
＜構成＞
・画像処理装置１０（プリファレンス情報の要求元）
図３は、実施例１における画像処理装置１０の構成の一例を示すブロック図である。図３に示すように、画像処理装置１０は、更新制御手段２０１、通信制御手段２０２、設定情報制御手段２０３、情報記憶手段２０４、操作手段２０５、電源制御手段２０６、メール制御手段２０７、機器状態管理手段２０８、設定値管理手段２０９、アクセス権管理手段２１０、ジョブ状態監視手段２１１を含む。
【００２０】
操作手段２０５は、例えばオペレーションパネル１０２により実現され、情報記憶手段２０４は、例えばＨＤＤ１３３により実現される。また、通信制御手段２０２は、例えばＮＩＣ１４１などにより実現され、その他の構成は、例えばＣＰＵ１１１により実現されうる。なお、情報記憶手段２０４以外の構成は、モジュールとして実装されうる。
【００２１】
更新制御手段２０１は、所定のトリガを検知してプリファレンス情報の設定、更新を制御する。所定のトリガとは、管理者による操作や、電源がＯＮになった時（起動時）、定期的、プリファレンス情報の変更、機器異常発生などが考えられる。
【００２２】
通信制御手段２０２は、ネットワークで接続された外部機器との通信を制御する。通信制御手段２０２は、例えば更新制御手段２０１からの指示によりプリファレンス情報の取得要求（例えばダウンロード要求）を画像処理装置３０に送信したり、画像処理装置３０からプリファレンス情報を受信したりする。つまり、通信制御手段２０２は、送信手段や受信手段として機能する。通信制御手段２０２は、プリファレンス情報の取得要求を送信する際に、自装置の機種情報や装置情報を含めて送信してもよい。
【００２３】
設定情報制御手段２０３は、プリファレンス情報の自装置への設定を制御する。例えば、設定情報制御手段２０３は、通信制御手段２０２から取得した設定情報を、
情報記憶手段２０４は、機器に設定されるプリファレンス情報などを記憶する。
【００２４】
図４は、プリファレンス情報の一例を示す図である。図４に示す例では、プリファレンス情報は、装置を動作させるための設定値をまとめた１つのファイルであり、例えばオートオフ時間、低電力移行時間、イーサネット（登録商標）、予熱移行時間、・・・、ドライバー暗号鍵の各設定項目を含む。
【００２５】
また、図４に示す例では、プリファレンス情報の各設定項目に対し、設定値の設定例を示している。このプリファレンス情報の設定値が各画像処理装置１０に設定されることになる。画像処理装置は、プリファレンス情報の設定値に基づいて各機能の動作を行う。
【００２６】
図３に戻り、操作手段２０５は、ユーザからの操作の受け付けと、ユーザへの画面表示を行う。操作手段２０５は、例えば管理者がプリファレンス情報の更新を指示したときに、その旨を更新制御手段２０１に通知する。電源制御手段２０６は、電源のＯＮ、ＯＦＦを制御する。メール制御手段２０７は、ユーザへのメール送信を制御する。メール制御手段２０７は、例えば登録されている送信先に対し、プリファレンス情報の設定失敗や失敗の原因を記載したメールを送信する。
【００２７】
機器状態管理手段２０８は、機器（装置）の状態を管理し、他の構成に異常状態などの通知を行う。設定値管理手段２０９は、ユーザの機器操作による設定値変更を行う。ユーザは、操作手段２０５を用いて機器操作を行う。アクセス権管理手段２１０は、装置にアクセスしているユーザのアクセス権を確認する。ジョブ状態監視手段２１１は、装置内にあるジョブがあるか、そのジョブの状態が何かなどを他の手段に通知する。
【００２８】
画像処理装置１０は、以上の構成を有することで、所定のトリガによって、画像処理装置３０にプリファレンス情報の取得要求を行い、画像処理装置３０から取得したプリファレンス情報を設定、更新することができる。
【００２９】
・画像処理装置３０（プリファレンス情報の要求先）
次に、画像処理装置３０の構成について説明する。画像処理装置３０は、画像処理装置１０と同様の構成を有するため、図３に示す構成の符号２００台を３００台に置き換えて説明する。
【００３０】
画像処理装置３０の構成のうち、更新制御手段３０１、通信制御手段３０２、設定情報制御手段３０３、情報記憶手段３０４を主に説明し、説明のない構成は、図３で説明した構成と同様である。
【００３１】
操作手段３０５は、例えばオペレーションパネル１０２により実現され、情報記憶手段３０４は、例えばＨＤＤ１３３により実現される。また、通信制御部３０２は、例えばＮＩＣ１４１などにより実現され、その他の構成は、例えばＣＰＵ１１１により実現されうる。なお、情報記憶手段２０４以外の構成は、モジュールとして実装されうる。
【００３２】
通信制御手段３０２は、画像処理装置１０からプリファレンス情報の取得要求を受信し、要求されたプリファレンス情報を画像処理装置１０に送信する。つまり、通信制御手段３０２は、受信手段、送信手段として機能する。
【００３３】
更新制御手段３０１は、通信制御手段３０２からプリファレンス情報の取得要求を受けた場合、設定情報制御手段３０３に対し、プリファレンス情報の作成要求又は取得要求を行う。
【００３４】
更新制御手段３０１は、画像処理装置３０がプリファレンス情報を保持している場合は取得要求を行い、画像処理装置３０がプリファレンス情報を保持していない場合は作成要求を行う。
【００３５】
設定情報制御手段３０３は、プリファレンス情報の作成要求を受けた場合、プリファレンス情報に含まれる設定項目の一覧を示す一覧情報に基づき、情報記憶手段３０４から一覧情報に含まれる設定項目の各設定値を取得し、プリファレンス情報を作成する。設定情報制御手段３０３は、一覧情報を保持する。
【００３６】
図５は、一覧情報の一例を示す図である。図５に示す例では、一覧情報は、プリファレンス情報の設定項目の一覧がリスト化され、例えば、オートオフ時間、・・・パスワード複雑さまでの設定項目が保持される。
【００３７】
設定情報制御手段３０３は、プリファレンス情報の取得要求を受けた場合、情報記憶手段３０４からプリファレンス情報を読み出して取得する。設定情報記憶手段３０３は、プリファレンス情報を更新制御手段３０１に出力する。
【００３８】
更新制御手段３０１は、設定情報記憶手段３０３から取得したプリファレンス情報を、通信制御手段３０２を介して画像処理装置１０に送信する。
【００３９】
また、更新制御手段３０１は、機種情報の比較を行ったり、画像処理装置１０が予め設定された装置であるか否かの判定を行ったりするが、これらの処理は後述する。
【００４０】
情報記憶手段３０４は、プリファレンス情報を記憶している場合と、記憶していない場合とが考えられる。画像処理装置３０は、専用のサーバなどではないため、プリファレンス情報としてのファイルを独立して持っていないことがある。
【００４１】
情報記憶手段３０４は、少なくとも、装置の動作に関する各設定項目の設定値を記憶しておく。情報記憶手段３０４は、プリファレンス情報を記憶する場合、これらの設定値の中から、プリファレンス情報となる各設定値を１つのファイルとして記憶しておく。情報記憶手段３０４がプリファレンス情報を記憶していない場合には、設定情報制御手段３０３が、一覧情報に基づいて情報記憶手段３０４から各設定値を読み出してプリファレンス情報を作成する。
【００４２】
情報設定システムは、以上の構成を有することで、プリファレンス情報をネットワーク内の画像処理装置３０から取得できるので、プリファレンス情報の取得先への柔軟性が向上する。また、この情報設定システムでは、専用のサーバを設ける必要がない。また、プリファレンス情報を取得する画像処理装置１０は、画像処理装置３０で実際に設定されている設定値を含むプリファレンス情報を取得するので、最新のプリファレンス情報を取得することができる。また、プリファレンス情報の取得要求を受けた画像処理装置がプリファレンス情報を保持していない場合は、プリファレンス情報を作成して要求元に送信することができる。
【００４３】
＜動作＞
次に、実施例１における情報設定システムの動作について説明する。まず、プリファレンス情報の設定処理について説明する。
【００４４】
（プリファレンス情報の基本設定処理）
図６は、実施例１におけるプリファレンス情報の基本設定処理の一例を示すシーケンス図である。図６に示すステップＳ１０１で、更新制御手段２０１は、所定のトリガに基づき、プリファレンス情報のインポート要求を検知する。
【００４５】
ステップＳ１０２で、更新制御手段２０１は、インポート要求があると判断すると、通信制御手段２０２に対し、プリファレンス情報の取得要求を送信するよう制御する。
【００４６】
ステップＳ１０３で、通信制御手段２０２は、予め設定されている画像処理装置３０のＩＰアドレスを用いて、画像処理装置３０に対し、プリファレンス情報の取得要求を送信する。
【００４７】
ステップＳ１０４で、画像処理装置３０は、画像処理装置１０からプリファレンス情報の取得要求を受信すると、プリファレンス情報の取得処理を行う。
【００４８】
ステップＳ１０５で、画像処理装置３０は、取得した自装置のプリファレンス情報を画像処理装置１０に送信する。
【００４９】
ステップＳ１０６で、通信制御手段２０２は、画像処理装置３０からプリファレンス情報を受信し、更新制御手段２０１に出力する。
【００５０】
ステップＳ１０７で、更新制御手段２０１は、取得（ダウンロード）したプリファレンス情報の設定を、設定情報制御手段２０３に要求する。
【００５１】
ステップＳ１０８で、設定情報制御手段２０３は、更新制御手段２０１から設定要求を受けると、情報記憶手段２０４に記憶される設定情報（プリファレンス情報）を、ダウンロードしたプリファレンス情報に設定、更新する。
【００５２】
この処理により、ネットワーク上の各画像処理装置が図６に示す処理を行うことで、通信路に対して一度に負荷をかけずに、各画像処理装置で、プリファレンス情報を適切に設定することができる。
【００５３】
（リトライ処理）
図７は、実施例１におけるプリファレンス情報のリトライ処理の一例を示すシーケンス図である。図７に示すステップＳ２０１〜Ｓ２０３の処理は、図６に示すステップＳ１０１〜Ｓ１０３の処理と同様であるため、その説明を省略する。
【００５４】
ステップＳ２０４で、更新制御手段２０１は、プリファレンス情報の取得要求を行って、所定時間内にレスポンスが無ければ、ダウンロード失敗と判断する。更新制御手段２０１は、ダウンロード失敗と判断すると、リトライ処理を行い、再度プリファレンス情報の取得要求を送信するよう通信制御手段２０２を制御する。
【００５５】
リトライの回数は、上限値を設ける。更新制御手段２０１は、リトライの回数が上限値を超えた場合は、ダウンロード失敗と判断する。上限値は、装置の管理者が設定できる。
【００５６】
ステップＳ２０５の処理は、リトライを上限値内で繰り返した後の処理とする。ステップＳ２０５〜Ｓ２１１の処理は、ステップＳ１０２〜Ｓ１０８の処理と同様であり、その説明を省略する。
【００５７】
これにより、一時的な不具合によるプリファレンス情報の更新失敗の際、ユーザ操作を行わなくてもリトライを行うことができる。
【００５８】
（プリファレンス情報の取得処理）
図８は、プリファレンス情報の取得処理（その１）の一例を示すシーケンス図である。図８に示す例では、画像処理装置３０は、プリファレンス情報を情報記憶手段３０４に保持している。
【００５９】
ステップＳ３０１で、通信制御手段３０２は、画像処理装置１０からプリファレンス情報の取得要求を受信する。
【００６０】
ステップＳ３０２で、通信制御手段３０２は、プリファレンス情報の取得要求を更新制御手段３０１に出力する。
【００６１】
ステップＳ３０３で、更新制御手段３０１は、設定情報制御手段３０３に対し、プリファレンス情報の取得を要求する。
【００６２】
ステップＳ３０４、Ｓ３０５で、設定情報制御手段３０３は、情報記憶手段３０４からプリファレンス情報を読み出し、取得する。
【００６３】
ステップＳ３０６で、設定情報制御手段３０３は、更新制御手段３０１に対し、プリファレンス情報を出力する。
【００６４】
ステップＳ３０７で、更新制御手段３０１は、情報記憶手段３０４から取得されたプリファレンス情報を画像処理装置１０に送信するよう通信制御手段３０２を制御する。
【００６５】
ステップＳ３０８で、通信制御手段３０２は、画像処理装置１０に対し、プリファレンス情報を送信する。
【００６６】
ステップＳ３０９で、画像処理装置１０は、プリファレンス情報の設定処理を行う。設定処理は、例えば図６に示すステップＳ１０６〜Ｓ１０８の処理である。
【００６７】
図９は、プリファレンス情報の取得処理（その２）の一例を示すシーケンス図である。図９に示す例では、画像処理装置３０は、プリファレンス情報を情報記憶手段３０４に保持していない。
【００６８】
ステップＳ４０１、Ｓ４０２の処理は、図８に示すステップＳ３０１、Ｓ３０２の処理と同様であるため、その説明を省略する。
【００６９】
ステップＳ４０３で、更新制御手段３０１は、設定情報制御手段３０３に対し、プリファレンス情報のファイル作成を要求する。
【００７０】
ステップＳ４０４、Ｓ４０５で、設定情報制御手段３０３は、プリファレンス情報の作成要求を受けると、一覧情報（図５参照）に基づき、情報記憶手段３０４から一覧情報に含まれる設定項目の設定値を読み出して取得する。情報記憶手段３０４は、画像処理装置３０の動作に関する各設定項目の設定値を記憶する。
【００７１】
ステップＳ４０６で、設定情報制御手段３０３は、情報記憶手段３０４から取得した各設定値を１つのファイルにし、プリファレンス情報を作成する。
【００７２】
ステップＳ４０７で、設定情報制御手段３０３は、更新制御手段３０１に対し、作成したプリファレンス情報のファイルを出力する。
【００７３】
ステップＳ４０８〜Ｓ４１０の処理は、図８に示すステップＳ３０７〜Ｓ３０９の処理と同様であるため、その説明を省略する。
【００７４】
これにより、画像処理装置３０にプリファレンス情報が無くても、各設定値からプリファレンス情報を作成し、作成したプリファレンス情報を要求元に送信することができる。
【００７５】
図１０は、プリファレンス情報の取得処理（その３）の一例を示すシーケンス図である。図１０に示す例では、要求元の機種情報と、自装置の機種情報とを比較し、比較結果が一致した場合に、プリファレンス情報の取得処理又は作成処理を行う。
【００７６】
ステップＳ５０１で、通信制御手段３０２は、画像処理装置１０からプリファレンス情報の取得要求と共に機種情報を受信する。
【００７７】
ステップＳ５０２で、通信制御手段３０２は、プリファレンス情報の取得要求と機種情報とを更新制御手段３０１に出力する。
【００７８】
ステップＳ５０３で、更新制御手段３０１は、受信された機種情報と、自装置の機種情報とを比較し、比較結果が一致するかを判断する。比較結果が一致する場合は、同じ機種であることを示す。
【００７９】
比較結果が一致する場合、ステップＳ５０４で、更新制御手段３０１は、プリファレンス情報の取得処理、又は作成処理を行い、プリファレンス情報を取得する。ここでのプリファレンス情報の取得処理は、図８に示すステップＳ３０３〜Ｓ３０６の処理であり、プリファレンス情報の作成処理は、図９に示すステップＳ４０３〜Ｓ４０７の処理である。
【００８０】
ステップＳ５０５で、更新制御手段３０１は、取得したプリファレンス情報を画像処理装置１０に送信するよう通信制御手段３０２を制御する。
【００８１】
ステップＳ５０６で、通信制御手段３０２は、画像処理装置１０に対し、プリファレンス情報を送信する。
【００８２】
ステップＳ５０７で、画像処理装置１０は、プリファレンス情報の設定処理を行う。設定処理は、例えば図６に示すステップＳ１０６〜Ｓ１０８の処理である。
【００８３】
比較結果が不一致の場合、ステップＳ５０８で、更新制御手段３０１は、画像処理装置１０にエラーを送信するよう通信制御手段３０２を制御する。エラーの内容は、例えば機種情報が異なることである。
【００８４】
ステップＳ５０９で、通信制御手段３０２は、画像処理装置１０に対し、エラーを送信する。
【００８５】
なお、ステップＳ５０３での判断の別例として、更新制御手段３０１は、予め設定された装置からの取得要求であるか否かを判定してもよい。例えば、更新制御手段３０１は、予め設定された装置情報（例えばＩＰアドレスや装置名など）を保持しておき、プリファレンス情報の取得要求を行った装置が、保持している装置情報に含まれるか否かを判定する。
【００８６】
更新制御手段３０１は、取得要求を行った画像処理装置が、予め設定された画像処理装置である場合に、プリファレンス情報の取得処理又は作成処理を行えばよい。
【００８７】
これにより、機種間の設定項目の差異によるプリファレンス情報の不整合を防止することができる。
【００８８】
以上、実施例１によれば、画像処理装置から機器の設定情報を取得することを可能にし、設定情報を取得する装置の柔軟性を向上させることができる。
【００８９】
［実施例２］
次に、実施例２における情報設定システムについて説明する。実施例２では、プリファレンス情報が、所定の基準に従って分割される。また、実施例２における情報設定システムは、情報処理装置４０がネットワークに接続され、この情報処理装置４０が一部のプリファレンス情報又は全てのプリファレンス情報を保持する。よって、画像処理装置１０は、画像処理装置３０及び／又は情報処理装置４０から所定のプリファレンス情報を取得することができるようになる。
【００９０】
＜システム＞
図１１は、実施例２における情報設定システムの一例を示す図である。図１１に示すように、情報設定システムは、ネットワークを介して画像処理装置１０、２０、３０、情報処理装置４０が接続されている。情報処理装置４０は、一部又は全部のプリファレンス情報を記憶しておく。
【００９１】
分割された一部のプリファレンス情報を情報処理装置４０が保持し、分割された他のプリファレンス情報を画像処理装置３０が保持するにようにしてもよい。
【００９２】
情報処理装置４０は、各画像処理装置からプリファレンス情報の取得要求を受信した場合は、プリファレンス情報を各画像処理装置に送信する。情報処理装置４０は、例えば、記憶部を有するサーバ装置などである。
【００９３】
＜ハードウェア＞
・画像処理装置１０〜３０
各画像処理装置のハードウェアは、図２に示したハードウェアと同様であるため、その説明を省略する。
【００９４】
・情報処理装置４０
図１２は、実施例２における情報処理装置４０のハードウェアの一例を示すブロック図である。図１２に示すように、情報処理装置４０は、制御部４０１、主記憶部４０２、補助記憶部４０３、外部記録装置Ｉ／Ｆ部４０４、ネットワークＩ／Ｆ部４０６、入力部４０７、表示部４０８を含む。これら各構成は、バスを介して相互にデータ送受信可能に接続されている。
【００９５】
制御部４０１は、コンピュータの中で、各装置の制御やデータの演算、加工を行うＣＰＵである。また、制御部４０１は、主記憶部４０２に記憶されたプログラムを実行する演算装置であり、入力装置や記憶装置からデータを受け取り、演算、加工した上で、出力装置や記憶装置に出力する。
【００９６】
主記憶部４０２は、ＲＯＭ（Read Only Memory）やＲＡＭ（Random Access Memory）などであり、制御部４０１が実行する基本ソフトウェアであるＯＳやアプリケーションソフトウェアなどのプログラムやデータを記憶又は一時保存する記憶装置である。
【００９７】
補助記憶部４０３は、ＨＤＤ（Hard Disk Drive）などであり、アプリケーションソフトウェアなどに関連するデータを記憶する記憶装置である。
【００９８】
外部記録装置Ｉ／Ｆ部４０４は、ＵＳＢ（Universal Serial Bus）などのデータ伝送路を介して接続された記録媒体４０５（例えば、フラッシュメモリ、ＳＤカードなど）と情報処理装置４０とのインタフェースである。
【００９９】
また、記録媒体４０５に、所定のプログラムを格納し、この記録媒体４０５に格納されたプログラムは外部記録装置Ｉ／Ｆ部４０４を介して情報処理装置４０にインストールされ、インストールされた所定のプログラムは情報処理装置４０により実行可能となる。
【０１００】
ネットワークＩ／Ｆ部４０６は、有線及び／又は無線回線などのデータ伝送路により構築されたＬＡＮ（Local Area Network）、ＷＡＮ（Wide Area Network）などのネットワークを介して接続された通信機能を有する周辺機器と情報処理装置４０とのインタフェースである。
【０１０１】
入力部４０７は、カーソルキー、数字入力及び各種機能キー等を備えたキーボード、表示部４０８の表示画面上でキーの選択等を行うためのマウスやスライスパット等を有する。また、入力部４０７は、ユーザが制御部４０１に操作指示を与えたり、データを入力したりするためのユーザインタフェースである。
【０１０２】
表示部４０８は、ＬＣＤ（Liquid Crystal Display）等により構成され、制御部４０１から入力される表示データに応じた表示が行われる。なお、情報処理装置４０は、入力部４０７と表示部４０８とは必ずしも備えなくてもよい。
【０１０３】
＜構成＞
・画像処理装置
各画像処理装置の構成は、図３に示す構成と同様であるため、同じ符号を用いて説明する。画像処理装置１０の更新制御手段２０１は、更新対象のプリファレンス情報に基づいてどの装置に取得要求を行うかを判定したり、画像処理装置３０でダウンロード失敗した場合に、情報処理装置４０からプリファレンス情報を取得したりする。これらの処理については動作説明のときに詳述する。
・情報処理装置
図１３は、情報処理装置４０の構成の一例を示すブロック図である。図１３に示す例では、情報処理装置４０は、通信制御手段５０１、認証制御手段５０２、情報管理手段５０３、情報記憶手段５０４を含む。情報記憶手段５０４は、例えば補助記憶部４０３により実現され、通信制御手段５０１、認証制御手段５０２、情報管理手段５０３は、例えば制御部４０１及びワークメモリとして主記憶部４０２により実現されうる。情報記憶手段５０４以外の構成は、モジュールとして実装されうる。
【０１０４】
通信制御手段５０１は、ネットワークで接続された各画像処理装置との通信の制御を行う。通信制御手段５０１は、例えば、画像処理装置１０から、分割された所定のプリファレンス情報の取得要求や認証情報を受信する。また、通信制御手段５０１は、画像処理装置１０に対し、分割された所定のプリファレンス情報を送信する。つまり、通信制御手段５０１は、送信手段、受信手段としての役割を有する。
【０１０５】
認証制御手段５０２は、通信制御手段５０１が認証情報を取得した場合、この認証情報を用いて認証処理を行う。例えば、認証処理は、取得した機器ＩＤの照合をしたり、ユーザアカウント、パスワードの照合をしたりする。通信制御手段５０１は、認証結果を画像処理装置１０に送信する。
【０１０６】
情報管理手段５０３は、通信制御手段５０１が、プリファレンス情報の取得要求を受信した場合、情報記憶手段５０４からプリファレンス情報の読み出しを行う。
【０１０７】
情報記憶手段５０４は、ネットワークに接続される各画像処理装置で共通して設定されるプリファレンス情報を記憶する。また、情報記憶手段５０４は、所定の分割基準に従って分割されたプリファレンス情報を記憶してもよい。
【０１０８】
情報処理装置４０は、画像処理装置３０でプリファレンス情報を取得できない場合の補助的な役割で用いられてもよい。
【０１０９】
＜分割されたプリファレンス情報＞
図１４は、実施例２における分割されたプリファレンス情報（その１）の一例を示す図である。図１４に示す分割基準は、アプリケーションに関連するか否かである。アプリケーションは、単にアプリとも呼ぶ。
【０１１０】
図１４（Ａ）は、アプリケーションに関連しない設定情報（以下、アプリ非関連プリファレンス情報と呼ぶ）を示す。図１４（Ａ）に示すように、アプリ非関連プリファレンス情報は、アプリケーションに関連しない設定項目の設定値を含む。
【０１１１】
図１４（Ｂ）は、コピーのプリファレンス情報を示す。図１４（Ｂ）に示すように、コピーのプリファレンス情報は、カラー／白黒、ソートなどのコピーの設定項目の設定値を含む。
【０１１２】
図１４（Ｃ）は、プリンタのプリファレンス情報の一例を示す。図１４（Ｃ）に示すように、プリンタのプリファレンス情報は、カラー／白黒、ジョブ分割、ページサイズなどのプリンタの設定項目の設定値を含む。コピーやプリンタなどのアプリに関連するプリファレンス情報をアプリ関連プリファレンス情報と呼ぶ。
【０１１３】
図１４に示す例の場合、アプリ非関連プリファレンス情報は、情報処理装置４０に記憶され、アプリ関連プリファレンス情報は、画像処理装置３０に記憶される。なお、アプリ関連プリファレンス情報は、実施例１同様、画像処理措置３０で作成されてもよい。画像処理装置３０は、アプリ関連プリファレンス情報に含まれる設定項目を一覧情報に含めて保持しておくことで、作成処理を実現することができる。
【０１１４】
これにより、アプリ非関連プリファレンス情報のファイルを情報処理装置４０に記憶し、各画像処理装置から取得可能にし、アプリ関連プリファレンス情報のファイルは、自装置と同じアプリ構成の装置から取得することが可能になる。
【０１１５】
図１５は、実施例２における分割されたプリファレンス情報（その２）の一例を示す図である。図１５に示す分割基準は、セキュリティポリシーに関連するか否かである。
【０１１６】
図１５（Ａ）は、操作制限に関するセキュリティポリシーのプリファレンス情報を示す。図１５（Ａ）に示すように、操作制限に関するセキュリティポリシーのプリファレンス情報は、宛先利用制限などの操作制限に関連する設定項目の設定値を含む。
【０１１７】
図１５（Ｂ）は、暗号化に関するセキュリティポリシーのプリファレンス情報を示す。図１５（Ｂ）に示すように、暗号化に関するセキュリティポリシーのプリファレンス情報は、ドライバー暗号化などの暗号化に関連する設定項目の設定値を含む。
【０１１８】
図１５（Ｃ）は、パスワードに関するセキュリティポリシーのプリファレンス情報を示す。図１５（Ｃ）に示すように、パスワードに関するセキュリティポリシーのプリファレンス情報は、パスワード複雑さなどのパスワードに関連する設定項目の設定値を含む。
【０１１９】
図１５（Ｄ）は、ログに関するセキュリティポリシーのプリファレンス情報の一例を示す。図１５（Ｄ）に示すように、ログに関するセキュリティポリシーのプリファレンス情報は、ジョブログなどのログに関連する設定項目の設定値を含む。
【０１２０】
図１５（Ｅ）は、認証に関するセキュリティポリシーのプリファレンス情報の一例を示す。図１５（Ｅ）に示すように、認証に関するセキュリティポリシーのプリファレンス情報は、ユーザ認証などの認証に関連する設定項目の設定値を含む。図１５（Ｆ）は、セキュリティポリシー以外のプリファレンス情報を示す。
【０１２１】
図１５に示す例では、セキュリティポリシーに関するプリファレンス情報を細分化した場合の例を示したが、図１５（Ａ）〜（Ｅ）をまとめて１つのセキュリティポリシーに関するプリファレンス情報としてもよい。
【０１２２】
図１５に示す例の場合、セキュリティポリシーに関するプリファレンス情報は、情報記憶装置４０に記憶され、セキュリティポリシーに関連しないプリファレンス情報は、画像処理装置３０に記憶される。
【０１２３】
これにより、情報処理装置４０と画像処理装置３０とのアクセス権の違いにより、プリファレンス情報の更新を実行できる管理者を分けることが可能になる。例えば、情報処理装置４０には、システム管理者のみしかアクセスできない状態にしておくことで、セキュリティポリシーに関連するプリファレンス情報の構成は、システム管理者しかできなくすることができる。
【０１２４】
＜動作＞
次に、実施例２における情報設定システムの動作について説明する。
【０１２５】
（基本設定処理）
図１６は、実施例２におけるプリファレンス情報の基本設定処理の一例を示すシーケンス図である。図１６に示す処理では、分割された一方のプリファレンス情報は画像処理装置３０に記憶され、分割された他方のプリファレンス情報は情報処理装置４０に記憶される。よって、画像処理装置１０は、画像処理装置３０、情報処理装置４０に対し、プリファレンス情報の取得要求を行う。
【０１２６】
図１６に示すステップＳ６０１〜Ｓ６０８の処理は、図６に示すステップＳ１０１〜Ｓ１０８の処理と同様である。異なる点は、画像処理装置３０から送信されるプリファレンス情報が、分割された一部のプリファレンス情報であることである。
【０１２７】
ステップＳ６０９で、更新制御手段２０１は、インポート要求があると判断すると、通信制御手段２０２に対し、プリファレンス情報の取得要求（例えばダウンロード要求）を送信するよう制御する。
【０１２８】
ステップＳ６１０で、通信制御手段２０２は、予め設定されている情報処理装置４０のＩＰアドレスを用いて、情報処理装置４０に対し、プリファレンス情報の取得要求を送信する。
【０１２９】
ステップＳ６１１で、情報処理装置４０は、画像処理装置１０からプリファレンス情報の取得要求を受信すると、プリファレンス情報の取得処理を行う。情報処理装置４０は、具体的には、情報記憶手段５０４から分割された他方のプリファレンス情報を読み出す。
【０１３０】
ステップＳ６１２で、情報処理装置４０は、分割された他方のプリファレンス情報を画像処理装置１０に送信する。
【０１３１】
ステップＳ６１３で、通信制御手段２０２は、情報処理装置４０からプリファレンス情報を受信し、更新制御手段２０１に出力する。
【０１３２】
ステップＳ６１４で、更新制御手段２０１は、取得（ダウンロード）したプリファレンス情報の設定を、設定情報制御手段２０３に要求する。
【０１３３】
ステップＳ６１５で、設定情報制御手段２０３は、更新制御手段２０１から設定要求を受けると、情報記憶手段２０４に記憶される設定情報（プリファレンス情報）を、ダウンロードしたプリファレンス情報に設定、更新する。
【０１３４】
この処理により、分割されたプリファレンス情報の性質に応じて記憶された各装置から、プリファレンス情報をそれぞれ取得することができる。
【０１３５】
（取得先の判断処理）
図１７は、実施例２における取得先判断を伴うプリファレンス情報の取得処理の一例を示すシーケンス図である。図１７に示す例では、プリファレンス情報は、アプリに関連するか否かで分割され、アプリ関連プリファレンス情報が画像処理装置３０に記憶され、アプリ非関連プリファレンス情報が情報処理装置４０に記憶される。
【０１３６】
ステップＳ７０１で、更新制御手段２０１は、アプリ非関連プリファレンス情報に対する、プリファレンス情報のインポート要求を検知したとする。例えば、更新対象のプリファレンス情報を選択し、更新ボタンの押下などで、操作手段２０５がインポート要求を検知する。操作手段２０５は、検地した内容を更新制御手段２０１に通知する。
【０１３７】
ステップＳ７０２で、更新制御手段２０１は、更新対象のプリファレンス情報の設定項目に基づいて、プリファレンス情報の取得先を判断する。更新制御手段２０１は、画像処理装置３０、情報処理装置４０のそれぞれにどんなプリファレンス情報が保持されているかを記憶しておく。
【０１３８】
また、更新制御手段２０１は、アプリに関連するか否かを示す情報と取得先を示す情報とを対応させて保持しておき、インポート要求に含まれる設定項目がアプリに関連するか否かを判断することで、取得先を決定してもよい。なお、図１７に示す例では、更新対象がアプリ非関連であるとし、情報処理装置４０が取得先として決定されたとする。
【０１３９】
ステップＳ７０３〜Ｓ７０９の処理は、図１６に示すステップＳ６０９〜Ｓ６１５の処理と同様であるため、その説明を省略する。なお、ステップＳ７０６で取得されるプリファレンス情報は、アプリ非関連プリファレンス情報である。
【０１４０】
これにより、所定の設定項目を含むプリファレンス情報を更新対象とする場合、所定の設定項目に基づいて取得先を判断し、適切な取得先からプリファレンス情報を取得することができる。
【０１４１】
なお、画像処理装置１０は、画像処理装置３０が取得先と判断された場合に、画像処理装置３０で作成されたプリファレンス情報を取得することができる。このとき、画像処理装置３０は、情報処理装置４０で記憶されるプリファレンス情報の設定項目以外の設定項目を含む一覧情報を保持する。そして、設定情報制御手段３０３は、この一覧情報に基づいて、分割された一部のプリファレンス情報を作成する。
【０１４２】
（アクセス権の判断処理）
図１８は、実施例２におけるアクセス権の判断処理を伴うプリファレンス情報の取得処理の一例を示すシーケンス図である。図１８に示す例では、プリファレンス情報は、セキュリティポリシーに関連するか否かで分割される。また、セキュリティポリシーに関連するプリファレンス情報が情報処理装置４０に記憶され、セキュリティポリシーに非関連するプリファレンス情報が画像処理装置３０に記憶される。
【０１４３】
ステップＳ８０１で、更新制御手段２０１は、セキュリティポリシーに関連するプリファレンス情報に対する、プリファレンス情報のインポート要求を検知したとする。例えば、更新対象のプリファレンス情報を選択し、更新ボタンの押下などで、操作手段２０５がインポート要求を検知する。操作手段２０５は、検地した内容を更新制御手段２０１に通知する。
【０１４４】
ステップＳ８０２で、更新制御手段２０１は、アクセス権管理手段２１０に対し、ログイン情報の確認を行う。ここでは、ログインユーザが、この情報設定システムの管理者であり、情報処理装置４０へのアクセス権があるか否かを確認する。
【０１４５】
ステップＳ８０３で、更新制御手段２０１は、アクセス権管理手段２１０から、権限情報を取得する。
【０１４６】
ログインユーザが管理者権限あり（アクセス権あり）の場合、ステップＳ８０４で、更新制御手段２０１は、権限チェックの結果、ＯＫと判断する。
【０１４７】
ステップＳ８０５〜Ｓ８１１の処理は、図１６に示すステップＳ６０９〜Ｓ６１５の処理と同様であるため、その説明を省略する。なお、ステップＳ８０８で取得されるプリファレンス情報は、セキュリティポリシーに関連するプリファレンス情報である。
【０１４８】
ログインユーザが管理者権限なし（アクセス権なし）の場合、ステップＳ８１２で、更新制御手段２０１は、権限チェックの結果、ＮＧと判断する。
【０１４９】
ステップＳ８１３で、更新制御手段２０１は、操作手段２０５に対し、エラー表示を行うよう要求する。
【０１５０】
ステップＳ８１４で、操作手段２０５は、更新失敗通知画面の表示処理を行う。図１９は、更新失敗通知画面の一例を示す図である。図１９に示す例では、セキュリティファイルのプリファレンス情報の設定に失敗したことが表示され、その理由も合わせて表示される。
【０１５１】
これにより、ログインユーザのアクセス権を判断することで、アクセス権に応じた適切なプリファレンス情報の設定処理を行うことができる。
【０１５２】
（エラー処理）
図２０は、実施例２におけるエラーが生じた場合に別の装置からプリファレンス情報を取得する処理の一例を示すシーケンス図である。図２０に示す例では、画像処理装置３０と情報処理装置４０とは、同じプリファレンス情報を記憶する。
【０１５３】
ステップＳ９０１〜Ｓ９０３の処理は、図６に示すステップＳ１０１〜Ｓ１０３の処理と同様であるため、その説明を省略する。
【０１５４】
ステプＳ９０４で、画像処理装置３０は、画像処理装置１０に対し、エラーを返す。例えば、画像処理装置１０が動作中で、動作中の設定値を含むプリファレンス情報を作成できないなどの場合にエラーとなる。
【０１５５】
ステプＳ９０５で、通信制御手段２０２は、更新制御手段２０１に対し、エラー情報を通知する。更新制御手段２０１は、プリファレンス情報の取得先のＩＰアドレスに対し優先順を付けて保持しておけばよい。
【０１５６】
ステップＳ９０６〜Ｓ９１２で、図１６に示すステップＳ６０９〜Ｓ６１５の処理と同様である。ステップＳ９０９では、完全なプリファレンス情報のファイルが取得されるところが図１６の処理とは異なる。
【０１５７】
この処理により、一時的に画像処理装置３０からプリファレンス情報を取得できない場合に、情報処理装置４０からプリファレンス情報を取得でき、プリファレンス情報のダウンロード失敗を防止することができる。
【０１５８】
なお、実施例２で説明した情報処理装置４０は、画像処理装置２０などであってもよい。
【０１５９】
［変形例］
実施例の画像処理装置１０、３０、情報処理装置４０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１６０】
また、実施例の画像処理装置１０、３０、情報処理装置４０で実行されるプログラムを、インターネット等のネットワークに接続されたコンピュータ上に格納し、ネットワーク経由でダウンロードさせることにより提供するように構成してもよい。また、実施例の画像処理装置１０、３０、情報処理装置４０で実行されるプログラムをインターネット等のネットワーク経由で提供または配布するように構成してもよい。
【０１６１】
また、実施例の画像処理装置１０、３０、情報処理装置４０で実行されるプログラムを、ＲＯＭ等に予め組み込んで提供するように構成してもよい。
【０１６２】
実施例の画像処理装置１０、３０、情報処理装置４０で実行されるプログラムは、前述した各手段を含むモジュール構成となっており、実際のハードウェアとしてはＣＰＵ（プロセッサ）が補助記憶部からプログラムを読み出して実行することにより上記各手段のうち１又は複数の各手段が主記憶部上にロードされ、１又は複数の各手段が主記憶部上に生成されるようになっている。
【０１６３】
なお、本発明は、上記実施例そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。例えば、実施例に示される全構成要素からいくつかの構成要素を削除してもよい。
【符号の説明】
【０１６４】
１０、２０、３０  画像処理装置
４０  情報処理装置
２０１  更新制御手段
２０２  通信制御手段
２０３  設定情報制御手段
２０４  情報記憶手段
２０５  操作手段
２０６  電源制御手段
２０７  メール制御手段
２０８  機器状態管理手段
２０９  設定値管理手段
２１０  アクセス権管理手段
２１１  ジョブ状態監視手段
５０１  通信制御手段
５０２  認証制御手段
５０３  情報管理手段
５０４  情報記憶手段
【先行技術文献】
【特許文献】
【０１６５】
【特許文献１】特開２００８−７２３１８号公報
【図１】
2013143660.tif 000003
【図２】
2013143660.tif 000004
【図３】
2013143660.tif 000005
【図４】
2013143660.tif 000006
【図５】
2013143660.tif 000007
【図６】
2013143660.tif 000008
【図７】
2013143660.tif 000009
【図８】
2013143660.tif 000010
【図９】
2013143660.tif 000011
【図１０】
2013143660.tif 000012
【図１１】
2013143660.tif 000013
【図１２】
2013143660.tif 000014
【図１３】
2013143660.tif 000015
【図１４】
2013143660.tif 000016
【図１５】
2013143660.tif 000017
【図１６】
2013143660.tif 000018
【図１７】
2013143660.tif 000019
【図１８】
2013143660.tif 000020
【図１９】
2013143660.tif 000021
【図２０】
2013143660.tif 000022